(57)【要約】パーソナルコンピュータのＣＰＵのケースの内部の照明のためのユーティリティ光は、ほぼ拡張スロットカバーブラケットの幾何学的形状を有するブラケット（１６）；このブラケット（１８）の１つの表面（３４）に取り付けられるハウジングを含むバッテリー；このバッテリーハウジング（３２）から延びる１つの端部を有し、そしてこのバッテリーと電気的に連絡している可撓性のランプネック（４０）；このランプネック（４０）の対向する端部と電気的に連絡しているランプ（４２）；およびこのバッテリーと電気的に連絡しているスイッチを含む。
2005539281.tif 000002
【特許請求の範囲】
【請求項１】
コンピュータの内側に、そのハードウェアとの作業の期間の間に、照明を提供する方法であって：
（ａ）コンピュータのＣＰＵの内部の壁内の相補的空隙スペースから、実質的に平面のカバーブラケットを除去する工程；および
（ｂ）該スペースに、そのベースとして、該コンピュータ壁の該空隙に実質的に相補的である表面を有する第２のかつ実質的に同様のブラケットを有するランプ手段の組合せを挿入する工程、を包含する、方法。
【請求項２】
請求項１に記載の方法であって：
（ｃ）前記第２のブラケットの横外側端部に、前記コンピュータの前記壁へのその取り付けのために、連結手段を提供する工程をさらに包含する、方法。
【請求項３】
前記第２のブラケットの対向する内側端部が、テーパー状の端部を備える、請求項２に記載の方法。
【請求項４】
前記実質的に平面状のブラケットおよび前記第２のブラケットの少なくとも１つが、拡張スロットカバー（ＥＳＣ）ブラケットを備える、請求項１に記載の方法。
【請求項５】
前記実質的に平面状のブラケットおよび前記第２のブラケットの少なくとも１つが、拡張スロットカバー（ＥＳＣ）ブラケットを備える、請求項２に記載の方法。
【請求項６】
前記ランプ手段が、そのための電力手段を含む、請求項１に記載の方法。
【請求項７】
前記電力手段が：
前記コンピュータの電源から再充電可能なバッテリーを備える、請求項６に記載の方法。
【請求項８】
請求項６に記載の方法であって：前記コンピュータの外側表面から手動で接近可能である、前記電力手段のためのオン−オフスイッチを提供する工程をさらに包含する、方法。
【請求項９】
前記ランプ手段が、そのための電力手段を含む、請求項４に記載の方法。
【請求項１０】
前記電力手段が：
前記コンピュータの電源から再充電可能なバッテリーを備える、請求項９に記載の方法。
【請求項１１】
請求項９に記載の方法であって：前記コンピュータの外側表面から手動で接近可能である、前記電力手段のためのオン−オフスイッチを提供する工程をさらに包含する、方法。
【請求項１２】
前記ランプ手段が、前記電力手段と、前記ランプ手段の電球との間に可撓性ネックを含む、請求項９に記載の方法。
【請求項１３】
コンピュータのケースの内側の照明を提供するデバイスであって：
（ａ）ほぼＥＳＣブラケットの幾何学的形状を有するブラケット；
（ｂ）該ブラケットの少なくとも１つの表面に取り付けられる電力手段およびハウジング；
（ｃ）該電力手段の該ハウジングに従属し、そして該電力手段と電気的に連絡しているその１つの端部を有する可撓性ランプ；
（ｄ）該ランプネックの対向する端部と電気的に連絡しているランプ；および
（ｅ）該電力手段と電気的に連絡しているスイッチ手段、を備える、デバイス。
【発明の詳細な説明】
【技術分野】
【０００１】
特許協力条約の下の国際出願
（発明の背景）
（ａ）主題の領域
本発明は、パーソナルコンピュータのケースの内部の照明のための手段に関する。
【背景技術】
【０００２】
（ｂ）先行技術
コンピュータ技術者、ならびに所有するコンピュータの内側について作業を行うアマチュアおよびその他の者に周知のように、積年の課題は、目的のコンポーネントまたは領域を十分観察するために、コンピュータ内で作業する間の十分な光の提供の課題である。すなわち、多くのハンドヘルド光が利用可能であるけれども、現在のところ、コンピュータのケース内でチェックするかまたは作業する間、一方の手を用いることが必要であるか、または別の人に光を保持させなければならない。本発明は、当該技術分野でこの長年感じられた必要性を、パーソナルコンピュータのＣＰＵのケースの現存する構造および容積に対し、光アセンブリがコンピュータケースの内側の永久パーツまたは除去可能なパーツのいずれかとして維持されるように確信された便利かつコンパクトな手段を提供することによって取り扱う。
【発明の開示】
【発明が解決しようとする課題】
【０００３】
本発明者らは、このようなユーティリティ光の固定のためのコンピュータベースのケースの現存する機械的構造を利用する先行技術がないことを知っている。
【課題を解決するための手段】
【０００４】
（発明の要旨）
パーソナルコンピュータのＣＰＵのケースの内部の照明のためのユーティリティ光は、ほぼ拡張スロットカバーブラケットの幾何学的形状を有するブラケット；このブラケットの１つの表面上に固定される、ハウジングを含めたバッテリー手段；このバッテリーハウジングから延び、そして上記バッテリー手段と電気的に連絡している１つの端部を有する可撓性のランプネック；このランプネックの対向する端部と電気的に連絡しているランプ；および上記バッテリー手段と電気的に連絡しているスイッチを含む。
【０００５】
本発明はまた、コンピュータのハードウェアに関する作業の期間の間に、その内側への照明を提供するための方法の観点から表現され得る。この方法は、コンピュータのＣＰＵのケースの内側の壁内の相補的空隙スペースから、実質的に平面状の拡張スロットカバーを除去する工程；およびこのスペース中に、そのベースとして、上記コンピュータ壁の空隙スペースに相補的な表面を有する第２のそして同様なブラケットを有するランプ手段の組合せを挿入する工程を包含する。
【０００６】
従って、本発明の目的は、パーソナルコンピュータのＣＰＵのケースまたはカバーの内部の照明のための改良された手段を提供することである。
【０００７】
別の目的は、コンピュータ内で、技術者などの作業者に技術者の一方の手の使用を必要としない照明手段を提供する小数のコンポーネントから形成されるユーティリティ光を提供することである。
【０００８】
本発明のさらなる目的は、安価、軽量、据え付けが容易、使用が簡単、かつパーソナルコンピュータのケースの現存する容積の一部分を利用する方法、および上記のタイプのデバイスを提供することである。
【０００９】
本発明の上記の目的およびなお別の目的は、本明細書で以後提示される図面の簡単な説明、発明の詳細な説明および本明細書に添付された請求項から明らかになる。
【発明を実施するための最良の形態】
【００１０】
図１および２の斜視図を参照して、ケースが取り除かれた後のタワー型のパーソナルコンピュータのＣＰＵの内側が示され、これは、任意のｘｙｚ座標を参照し、ここで、ｘ軸はＣＰＵの左から右方向を、ｙ軸は前から後ろ方向を、そしてｚ軸は垂直方向または重力ベクトルを示す。
【００１１】
図１により詳細に示されて、ＣＰＵマザーボード１０は複数の水平拡張スロット１２を有し、その中に選択可能な集積回路（「ＩＣ」）カード１４（本質的に音声ビデオカードまたはモデムカードの範疇に入る）が挿入され得る。しかし、ＩＣ拡張カード１４に対する必要な機械的支持を提供するために、図２に示されるような様式で、ほぼ拡張スロットカバー（ＥＳＣ）ブラケットの幾何学的形状を有するブラケット１６にその左エッジ１５を連結しなければならない。図１および２で注目され得るように、パーソナルコンピュータは、代表的には、上記ブラケット１６に加え、さらなるＥＳＣブラケット１８および２０が提供され、これは、望まれれば、ＣＰＵマザーボード１０にさらなるＩＣ拡張ボードの付加を提供する。従って、タワー型コンピュータは、新たに購入されるとき、コンピュータのｘ軸側面に沿って３または４つのいずれかのＥＳＣブラケットを有し、これらブラケットは、ブラケットの−ｙ端部で横方向ｘｚ表面２１の例外をともなってｙ軸方向性を有し、かつ、ｙｚ平面を占領する。それによって、このブラケットは、上記カード１４のような拡張カードの側面のための機械的支持として選択可能に用いられる。
【００１２】
図２中で注目され得るように、上記ＥＳＣブラケットの横表面１５は、ネジ２４によりコンピュータの内側の−ｘ側面のｘｚ表面２２に取り付けられる。
【００１３】
コンピュータの左内側表面３０から離脱されたＥＳＣブラケット１８を示す図３の斜視図を参照して、その第２の端部は、テーパー状の端部２６を規定することが観察され得、その機能は、上記ｙｚ表面３０内の相補的スロット２８（図２を参照のこと）中に適合することであり、その中に上記ＥＳＣブラケットまたはその等価物１６／１８／２０が通常取り付けられる。各ブラケットの窪んだ領域３１は、上記表面３０の空隙スペース４６に相補的であり得る（以下に記載される）。しかし、窪んだ領域３１は、本発明の目的に対し、ＥＳＣ型ブラケットの必須部分ではないことが理解されるべきである。
【００１４】
図４の斜視図および図５の平面図を参照して、本発明のデバイスは、ＥＳＣブラケット１１８（またはその等価な幾何学的形状）と、その下部表面３４に固定されて接着され、そしてほぼ上記窪んだ領域３１内にあるバッテリーパック３２との組合せを含むことが観察され得る。対向するブラケット表面３６上には、オン−オフバッテリースイッチ３８が配置されている。従って、このスイッチを収容するために、適切なサイズの開口部が、上記ブラケット１１８の表面３４／３６を通じて機械加工または成形されなければならない。バッテリーパック３２の後部−ｙ端部から機械的および電気的に従属する、可撓性のシャフト４０があり、これは、２４インチまでの長さを有し、その端部に熱シールド４４によって取り囲まれたランプ４２がある。このランプの構造は、図６の半径方向断面図、ならびに図７および図８のｘ軸前側面図およびｘ軸後側面図を参照してさらに認識され得る。
【００１５】
本発明は、内蔵型の技術として意図されているが、それにもかかわらず、上記バッテリーパックのバッテリーは、コンピュータ製造業者によってそのように提供される場合、コンピュータの電源から再充電可能であり得る。
【００１６】
図４〜図８のデバイスの使用の様式は図９および１０に示される。より詳細には、図９には、空隙スペース４６中へのブラケット１１８のテーパー状端部２６の挿入が示され（図２もまた参照のこと）、この空隙スペース４６は、それから当初のまたは設置されたＥＳＣブラケット１８の除去によって作製される。従って、その一体化バッテリーパック３２を含むこのブラケット１１８は、それが壁３０の相補的スロット２８に到達するまで＋ｙ方向で前方に向かってスライドされる。上記空隙スペース内に完全に設置されたときのこのデバイスが図１０に示される。それから、ブラケット１１８中に一体化された本発明のバッテリー動力付のランプアセンブリの設置、および再挿入およびブラケット表面２１に対するネジ２４の取り付けによる上記空隙スペース４６内への固定の後に、コンピュータ（そのカバーが除去されるとき）は、スイッチ３８の作動により（図１１を参照のこと）内部光が提供され、これは、コンピュータの−ｘ側壁５０の外側から接近可能であり、コンピュータの内側で作業するＰＣ所有者および技術者に必須の照明を提供する。
【００１７】
図１、２、４、５および１０に示されるより他のモデルまたはＰＣでは、代表的には、すべての内側コンポーネントは、拡張カード１４が垂直で、そしてＥＳＣ型ブラケットの表面３４／３６の平面が水平であるように、ｙ軸の周りに９０℃回転されることが認識されるべきである。しかし、すべてのその他の局面では、図４〜８に示されるデバイスの使用は、いずれの型のコンピュータにおいても同じである。
【００１８】
さらに、好ましい実施形態では、可撓性ネック４０の長さは、１２〜２４インチ長の範囲である。それによって、代表的には、可撓性ネックまたは匹敵する長さを有するランプが、大部分のパーソナルコンピュータの内側で利用可能なスペース内に格納され得ることが認識され得る。
【００１９】
本発明の好ましい実施形態が示され、そして記載されているが、本発明が、本明細書中に詳細に示され、かつ記載されるよりは他で、しかもこの実施形態内で具現化され得、特定の改変が、本明細書に添付の請求項で提示されるような本発明の基礎となる思想または原理から逸脱することなくその部分の形態および配列でなされ得ることが認識されるべきである。
【図面の簡単な説明】
【００２０】
【図１】図１は、ケースが取り除かれた後のタワー型のパーソナルコンピュータの内側の後部の斜視図であり、そしてマザーボード中への拡張集積回路カードの挿入を示す。
【図２】図２は、拡張スロットカバー（ＥＳＣ）ブラケットによる拡張カードの取り付けを示す斜視図である。
【図３】図３は、コンピュータからの除去に際して見えるＥＳＣブラケットの斜視図である。
【図４】図４は、本発明の照明デバイスの斜視図である。
【図５】図５は、図４のデバイスの平面図である。
【図６】図６は、図５の線６−６を通じて見た半径方向の断面図である。
【図７】図７は、図４のデバイスの側平面図である。
【図８】図８は、その逆側平面図である。
【図９】図９は、図２と同様の斜視図であるが、ＥＳＣ空隙スペース中の本発明のデバイスを含むＥＳＣ形態のブラケットの挿入を示す斜視図である。
【図１０】図１０は、パーソナルコンピュータのケースの内側のＥＳＣ空隙スペース中への挿入後の本発明のデバイスを示す斜視図である。
【図１１】図１１は、図９および１０に示されるような様式で達成された挿入後の本発明のデバイスの外観を示す、図８に類似の側面図である。
【図１】
2005539281.tif 000003
【図２】
2005539281.tif 000004
【図３】
2005539281.tif 000005
【図４】
2005539281.tif 000006
【図５】
2005539281.tif 000007
【図６】
2005539281.tif 000008
【図７】
2005539281.tif 000009
【図８】
2005539281.tif 000010
【図９】
2005539281.tif 000011
【図１０】
2005539281.tif 000012
【図１１】
2005539281.tif 000013
【手続補正書】
【提出日】平成16年7月9日(2004.7.9)
【手続補正１】
【補正対象書類名】特許請求の範囲
【補正対象項目名】全文
【補正方法】変更
【補正の内容】
【特許請求の範囲】
【請求項１】
パーソナルコンピューターのケースの内側の照明を提供するデバイスであって：
（ａ）該コンピューターケースの内側に該デバイスを取り付けるためのベースブラケットであって、ほぼ拡張スロットカバーブラケットの幾何学的形状を有し；ここで、該ベースブラケットが、該コンピューターケースの後部壁上で該拡張スロットカバーブラケットのためのスペースに挿入かつ取り付けられ、それによって該デバイスを該コンピューターケース内側に位置決めする、ベースブラケット；
（ｂ）該ベースブラケットの少なくとも１つの表面に取り付けられる内蔵式電力手段およびそのハウジングであって、該電力手段が該コンピューターの電源とは独立に該デバイスに電気を提供する、内蔵式電力手段およびそのハウジング；
（ｃ）該電力手段の該ハウジングから延び、そして該電力手段と電気的に連絡しているその１つの端部を有する可撓性ランプネック；
（ｄ）該ランプネックの対向する端部と電気的に連絡しているランプ；および
（ｅ）該電力手段と電気的に連絡しているスイッチ手段、を備える、デバイス。
【請求項２】
前記ベースブラケットが開口部を有し、そして前記スイッチ手段が、該開口部から外に延び、そして前記コンピューターケースの前記後部壁の外側から接近可能である、請求項１に記載のデバイス。
【請求項３】
前記ランプが熱シールドをさらに備える、請求項２に記載のデバイス。
【請求項４】
前記可撓性ランプネックが１２〜２４インチの長さを有する、請求項２に記載のデバイス。
【請求項５】
前記電力手段がバッテリーを備える、請求項２に記載のデバイス。
【請求項６】
前記バッテリーが再充電可能である、請求項５に記載のデバイス。
【請求項７】
パーソナルコンピューターのケースの内側に、そのハードウェアとの作業の期間の間に、照明を提供する方法であって：
（ａ）該コンピューターの後部壁から、予め存在する拡張スロットカバーブラケットを除去する工程；および
（ｂ）工程（ａ）から生成される空隙スペース中に、ランプ手段のベースブラケットを挿入し、それによって該ランプ手段を該コンピューターケースの内側に位置決めする工程であって、ここで該ランプ手段が、該拡張スロットカバーブラケットの実質的な幾何学的形状を有する該ベースブラケット；該ベースブラケットの１つの表面上に取り付けられたハウジングを有する内蔵電力手段であって、該コンピューターの電源とは独立に該ランプ手段に電気を提供する電力手段；およびスイッチ手段；ランプ；および該ハウジングから延びるその１つの端部、および該ランプに連結される対向する端部を有する可撓性のランプネックを備える工程；
（ｃ）該後部壁に該ベースブラケットを固定する工程；および
（ｄ）該スイッチ手段により該ランプ手段を活性化し、該コンピューターケース内側に照明を提供する工程、を包含する、方法。
【請求項８】
前記ベースブラケットが開口部を有し、そして前記スイッチが、該開口部から延び；それによって、前記ランプ手段を活性化する工程が、前記コンピューターケースの後部壁の外側から実施され得る、請求項７に記載の方法。
【請求項９】
前記ベースブラケットを、その横断外側端部で前記コンピューターの後部壁に取り付ける工程をさらに包含する、請求項７に記載の方法。
【請求項１０】
パーソナルコンピューターのケースの内部の照明を提供するためのデバイスであって：
（ａ）該コンピューターケースの内側に該デバイスを取り付けるためのベースブラケットであって、ほぼ拡張スロットカバーブラケットの幾何学的形状、および該ベースブラケットの中心の周りの開口部を有するベースブラケット；ここで、該コンピューターケースの後部壁上の拡張スロットカバーブラケットのためのスペースに挿入かつ取り付けられ得、それによって、該デバイスを該コンピューターケース内側に位置決めする、ベースブラケット；
（ｂ）電力手段および該ベースブラケットの内表面に取り付けられるそのハウジング；
（ｃ）該電力手段のハウジングから延び、そして該電力手段と電気的に接続されるその１つの端部を有する可撓性のランプネック；
（ｄ）該ランプネックの対向する端部と電気的に連絡しているランプ；
（ｅ）該電力手段に接続されるスイッチ手段であって、該ベースブラケットの開口部から延び、そして該コンピューターケースの後部壁の外側から接近可能である、スイッチ手段を、備える、デバイス。
【請求項１１】
前記ランプ手段が、熱シールドをさらに備える、請求項１０に記載のデバイス。
【請求項１２】
前記可撓性ランプネックが、１２〜２４インチの長さを有する、請求項１１に記載のデバイス。
【請求項１３】
前記電力手段がバッテリーを備える、請求項１２に記載のデバイス。
【請求項１４】
前記バッテリーが再充電可能である、請求項１３に記載のデバイス。
【国際調査報告】
2005539281.tif 000014